(57)【要約】【課題】任意の場所に設置することができ、間仕切った後も間仕切られた空間の一方と他方にいる人々が容易にコミュニケーションをとることができる間仕切装置などを提供する。【解決手段】複数の管を連結させて組み立てた四角形状の間仕切本体と、前記間仕切本体の上辺となる管に挿通される被挿通部と間仕切部材を保持する保持部とを有する吊り下げ部材と、前記吊り下げ部材により吊り下げられる間仕切部材と、を備えた間仕切装置である。【選択図】図１
2012233345.tif 000002
【特許請求の範囲】
【請求項１】
複数の管を連結させて組み立てた四角形状の間仕切本体と、
前記間仕切本体の上辺となる管に挿通される被挿通部と間仕切部材を保持する保持部とを有する吊り下げ部材と、
前記吊り下げ部材により吊り下げられる間仕切部材と、
を備えたことを特徴とする間仕切装置。
【請求項２】
複数の請求項１に記載の間仕切装置を連結させて組み立てた管構築物。
【発明の詳細な説明】
【技術分野】
【０００１】
本発明は、間仕切装置及び管構築物に関する。
【背景技術】
【０００２】
従来、パネル部分を段ボール又は紙パネル、支柱部分を紙管で構成、各部材の連結部分も紙パネルおよび紙管に加工して設けた切り欠き・溝などにより連結・固定する家具用紙パネルが提案された（特許文献１参照）。
【先行技術文献】
【特許文献】
【０００３】
【特許文献１】実用新案登録第３１０２６３４号公報
【発明の概要】
【発明が解決しようとする課題】
【０００４】
しかしながら、上記従来の家具用紙パネルでは、パネル部分により区分けされた空間の一方にいる人が、空間の他方にいる人とコミュニケーションを取るに当たり、パネル部分の横から顔を出したり空間の一方から他方へ移動したりしなければならないという問題があった。
【０００５】
そこで、本発明は、任意の場所に設置することができ、間仕切った後も間仕切られた空間の一方と他方にいる人々が容易にコミュニケーションをとることができる間仕切装置及び管構築物を提供することを目的とする。
【課題を解決するための手段】
【０００６】
本発明によれば、上記課題は、次の手段により解決される。
【０００７】
本発明は、複数の管を連結させて組み立てた四角形状の間仕切本体と、前記間仕切本体の上辺となる管に挿通される被挿通部と間仕切部材を保持する保持部とを有する吊り下げ部材と、前記吊り下げ部材により吊り下げられる間仕切部材と、を備えたことを特徴とする間仕切装置である。
【０００８】
また、本発明は、複数の上記間仕切装置を連結させて組み立てた管構築物である。
【発明の効果】
【０００９】
本発明によれば、任意の場所に設置することができ、間仕切った後も間仕切られた空間の一方と他方にいる人々が容易にコミュニケーションをとることができる間仕切装置及び管構築物を提供することができる。
【図面の簡単な説明】
【００１０】
【図１】本発明の実施形態に係る間仕切装置の構成例（スライド前）を示す図である。
【図２】本発明の実施形態に係る吊り下げ部材の構成例を示す図である。
【図３】本発明の実施形態に係る間仕切装置の構成例（スライド後）を示す図である。
【発明を実施するための形態】
【００１１】
以下に、添付した図面を参照しつつ、本発明を実施するための形態について説明する。
【００１２】
図１は、本発明の実施形態に係る間仕切装置の構成例（スライド前）を示す図である。図１中、（ａ）は斜視図、（ｂ）は側面図である。また、図２は、本発明の実施形態に係る吊り下げ部材の構成例を示す図である。
【００１３】
図１、図２に示すように、本発明の実施形態に係る間仕切装置は、複数の管１１、１２、１３、１４を連結させて組み立てた四角形状の間仕切本体１０と、間仕切本体１０の上辺となる管１１に挿通される被挿通部２０ａと間仕切部材を保持する保持部２０ｂとを有する吊り下げ部材２１、２２、２３、２４と、吊り下げ部材２１、２２、２３、２４により吊り下げられる間仕切部材３１、３２と、を備えている。
【００１４】
［間仕切本体］
複数の管１１、１２、１３、１４は、連結部材１５により連結され、四角形状の枠体を構成する。本発明の実施形態では、この四角形状の枠体が、間仕切本体１０として用いられる。なお、複数の管１１、１２、１３、１４としては、例えば、紙管や樹脂製の管や金属製の管などを用いることができる。
【００１５】
なお、本発明の実施形態では、４つの管１１、１２、１３、１４を用いるが、管の数は限定されない。
【００１６】
［吊り下げ部材］
被挿通部２０ａは、樹脂製である。また、被挿通部２０ａは、切り欠きを有する輪の形状に構成されている。これにより、本発明の実施形態では、切り欠きから輪を広げて間仕切本体１０の上辺となる管１１に被挿通部２０ａを容易に挿通することが可能とされている。なお、被挿通部２０ａは、金属製や木製などとすることもできる。この場合は、例えば、複数の管を連結させる前に被挿通部２０ａに管を挿通させることができる。また、被挿通部２０ａは、円筒の形状に構成してもよい。
【００１７】
保持部２０ｂは、間仕切部材３１、３２を挟持することにより保持する。なお、保持部２０ｂは、挟持以外の方法により間仕切部材３１、３２を保持してもよい。
【００１８】
なお、本発明の実施形態では、４つの吊り下げ部材２１、２２、２３、２４を用いるが、吊り下げ部材の数は限定されない。
【００１９】
［間仕切部材］
間仕切部材３１、３２としては、片面段ボールが用いられている。なお、プラスチック段ボールや布などを間仕切部材３１、３２として用いることもできる。
【００２０】
なお、本発明の実施形態では、２つの間仕切部材３１、３２を用いるが、間仕切部材の数は限定されない。
【００２１】
以上説明した本発明の実施形態に係る間仕切装置によれば、間仕切部材３１、３２を取り外したり巻き上げたりなどすることにより、間仕切られた空間の一方と他方とを容易に連結することができる。
【００２２】
したがって、本発明の実施形態に係る間仕切装置によれば、任意の場所に設置することができ、間仕切った後も間仕切られた空間の一方と他方にいる人々が容易にコミュニケーションをとることができる間仕切装置を提供することができる。
【００２３】
図３は、本発明の実施形態に係る間仕切装置の構成例（スライド後）を示す図である。図３中、（ａ）は斜視図、（ｂ）は側面図である。
【００２４】
図３に示すように、本発明の実施形態に係る間仕切装置では、２つの間仕切部材３１、３２が吊り下げ部材２１、２２、２３、２４により吊り下げられており、間仕切部材３２を吊り下げる吊り下げ部材２３、２４のうちの吊り下げ部材２３が、間仕切部材３１を吊り下げる吊り下げ部材２１、２２のうちの吊り下げ部材２２よりも、間仕切部材３１を吊り下げる吊り下げ部材２１の側に位置し、間仕切部材３１の一部と間仕切部材３２の一部とが重ねられている。
【００２５】
したがって、２つの間仕切部材３１、３２は、間仕切本体１０の上辺となる管１１に沿ってスライドさせることができる。
【００２６】
このように、本発明の実施形態に係る間仕切装置によれば、間仕切部材３１、３２をスライドさせることにより、間仕切られた空間の一方と他方とをより一層容易に連結することが可能である。
【００２７】
なお、例えば、２つの間仕切部材３１、３２を吊り下げ部材２１、２２、２３、２４により吊り下げ、間仕切部材３２を吊り下げる吊り下げ部材２３、２４のうちの吊り下げ部材２３を、間仕切部材３１を吊り下げる吊り下げ部材２１、２２のうちの吊り下げ部材２２よりも、間仕切部材３２を吊り下げる吊り下げ部材２４の側に位置させることにより、間仕切部材３１、３２のスライドが防止された構成とすることもできる。
【００２８】
以上、本発明の実施形態について説明したが、これらの説明は、本発明の一例に関するものであり、本発明は、これらの説明によって何ら限定されるものではない。
【産業上の利用可能性】
【００２９】
本発明では、１つの間仕切装置を単体で用いることもできるし、複数の間仕切装置を連結させて管構築物を組み立て、これを個室などとして用いることもできる。
【符号の説明】
【００３０】
１０    間仕切本体
１１、１２、１３、１４    管
１５    連結部材
２０ａ    被挿通部
２０ｂ    保持部
２１、２２、２３、２４    吊り下げ部材
３１、３２    間仕切部材
【図１】
2012233345.tif 000003
【図２】
2012233345.tif 000004
【図３】
2012233345.tif 000005